(57)【要約】【課題】自動振込においては、残高が固定されているために、支払金額の融通性がなく、しかも、必要な残高が月によって異なるが、その都度その額に指定残高を合わせることができないという問題がある。  【解決手段】顧客の口座の資金による金融商品の購入を行うことができる自動取引装置であって、金融商品の購入取引を開始すると、金額あるいは割合を入力させる画面を表示し、金額が入力された場合には、入力された金額を購入金額とし、割合が入力された場合には、顧客の口座の１ヶ月の収支と前記入力された割合に応じた金額を購入金額とすることを特徴とする。【選択図】        図３
2008077577.tif 000002
【特許請求の範囲】
【請求項１】
顧客の口座の資金による金融商品の購入を行うことができる自動取引装置であって、
金融商品の購入取引を開始すると、金額あるいは割合を入力させる画面を表示し、
金額が入力された場合には、入力された金額を購入金額とし、
割合が入力された場合には、顧客の口座の１ヶ月の収支と前記入力された割合に応じた金額を購入金額とすることを特徴とする自動取引装置。
【請求項２】
顧客の口座の資金による金融商品の購入を行うことができる自動取引装置であって、
金融商品の購入取引を開始すると、金額あるいは割合を入力させる画面を表示し、
金額が入力された場合には、入力された金額を購入金額とし、
割合が入力された場合には、顧客の口座残高と前記入力された割合に応じた金額と、顧客の口座の１ヶ月の収支と前記入力された割合に応じた金額との双方を選択可能に表示し、顧客が選択した一方を購入金額とすることを特徴とする自動取引装置。
【請求項３】
顧客の口座の資金による金融商品の購入を行うことができる自動取引装置であって、
金融商品の購入取引を開始すると、割合を入力させる画面を表示し、
顧客の口座残高と前記入力された割合に応じた金額と、顧客の口座の１ヶ月の収支と前記入力された割合に応じた金額との双方を選択可能に表示し、顧客が選択した一方を購入金額とすることを特徴とする自動取引装置。
【請求項４】
請求項１から請求項３のいずれかの自動取引装置と、
顧客が指定した複数の金融商品の情報を、購入時の購入金額を分割する割合の情報と共に記憶した管理データベースと、
前記自動取引装置によって顧客が前記複数の金融商品の購入取引を行ったとき、前記管理データベースに記憶した割合によって購入金額を分割して複数の金融商品の購入を行うホストコンピュータとを備えた自動取引システム。
【発明の詳細な説明】
【技術分野】
【０００１】
本発明は、金融商品の購入に伴う支払金額の支払（振込）方法を金額指定による支払だけでなく、残高や１ヶ月の収支額等に対する割合による支払金額指定を可能にした銀行等の金融機関で使用する自動取引装置および自動取引システムに関する。
【背景技術】
【０００２】
従来の自動取引装置は、支払（振込）は支払金額を顧客が指定して取引を行うのが一般である。
しかし、上記の取引では残高に関係なく支払を行うために、気が付いたら預金残高が予定していた所定額より少なくなっていたということがある。
そこで、予め所定の預金残高を登録しておき、その定めた預金残高が残る範囲内で支払ができるようにした取引装置がある（例えば、特許文献１参照）。
【特許文献１】特開２００２−３２５８２号公報
【発明の開示】
【発明が解決しようとする課題】
【０００３】
しかしながら、上述した従来の技術においては、残高が固定されているために、支払金額の融通性がなく、しかも、必要な残高が月によって異なるが、その都度その額に指定残高を合わせることができないという問題がある。
本発明は、このような問題を解決することを課題とする。
【課題を解決するための手段】
【０００４】
そこで本発明は、顧客の口座の資金による金融商品の購入を行うことができる自動取引装置であって、金融商品の購入取引を開始すると、金額あるいは割合を入力させる画面を表示し、金額が入力された場合には、入力された金額を購入金額とし、割合が入力された場合には、顧客の口座の１ヶ月の収支と前記入力された割合に応じた金額を購入金額とする自動取引装置とした。
【０００５】
また、顧客の口座の資金による金融商品の購入を行うことができる自動取引装置であって、金融商品の購入取引を開始すると、金額あるいは割合を入力させる画面を表示し、金額が入力された場合には、入力された金額を購入金額とし、割合が入力された場合には、顧客の口座残高と前記入力された割合に応じた金額と、顧客の口座の１ヶ月の収支と前記入力された割合に応じた金額との双方を選択可能に表示し、顧客が選択した一方を購入金額とする自動取引装置とした。
【０００６】
また、顧客の口座の資金による金融商品の購入を行うことができる自動取引装置であって、金融商品の購入取引を開始すると、割合を入力させる画面を表示し、顧客の口座残高と前記入力された割合に応じた金額と、顧客の口座の１ヶ月の収支と前記入力された割合に応じた金額との双方を選択可能に表示し、顧客が選択した一方を購入金額とする自動取引装置とした。
【０００７】
また、前記いずれかの自動取引装置と、顧客が指定した複数の金融商品の情報を、購入時の購入金額を分割する割合の情報と共に記憶した管理データベースと、前記自動取引装置によって顧客が前記複数の金融商品の購入取引を行ったとき、前記管理データベースに記憶した割合によって購入金額を分割して複数の金融商品の購入を行うホストコンピュータとを備えた自動取引システムとした。
【発明の効果】
【０００８】
このようにした本発明は、１ヶ月収支合計もしくは口座残高の一方を選択して金額の指定ができ、無理のない支払が可能となるという効果が得られる。
【発明を実施するための最良の形態】
【０００９】
以下、図面を参照して本発明による実施例を説明する。
【実施例】
【００１０】
第１実施例
図１は本発明に使用する自動取引装置を示す外観説明図、図２は自動取引装置の構成を示すブロック図である。
図において、自動取引装置１には、カード処理部２、通帳処理部４、明細票処理部６、紙幣入出金部８、硬貨入出金部９、音声案内部１２を有する。
【００１１】
カード処理部２は、顧客の所有するＩＤカード３が挿入された場合に、ＩＤカード３に記憶されている顧客の口座番号や氏名等の顧客情報、金融機関のコードを読み出す機能を有する。カード処理部２の前面側にはカード挿入排出口２ａが設けられており、ここでＩＤカード３の挿入および排出が行われる。カード挿入排出口２ａには、排出されたＩＤカード３が顧客により抜き取られたことを検出する検出センサが設けられている。
【００１２】
通帳処理部４は、通帳挿入排出口４ａから挿入される顧客の通帳５に取引内容を印字するもので、通帳に記載された情報を読み取る機能や情報の更新を行う機能さらには印字頁行の検出や改頁を行う機能を有する。ここで処理された通帳５は通帳挿入排出口４ａに排出される。通帳挿入排出口４ａに排出された通帳５が顧客により抜き取られたことを検出する検出センサが設けられている。明細票処理部６は、取引明細の印字を行って顧客に対して取引明細票の発行処理を行うものである。
【００１３】
紙幣入出金部８は、入金取引時に顧客から入金される紙幣を真偽鑑別し、計数し、搬送して図示しない金庫に金種別に収納すると共に出金取引時に顧客に支払われる紙幣を金庫から繰り出すものである。紙幣入出金部８と紙幣入出金口８ａとは図示しない紙幣搬送路によって接続されている。紙幣入出金口８ａは、顧客が紙幣を投入し、または顧客に支払われる紙幣が送り込まれる部分であり、紙幣入出金口８ａの上部には開閉可能なシャッター８ｂが設けられており、紙幣入出金口８ａの内部には、図示しないが、紙幣が顧客により抜き取られたことを検出する検出センサが設けられている。
【００１４】
硬貨入出金部９は、入金取引時に顧客から入金される硬貨を真偽鑑別、計数し、搬送して図示しない金庫に金種別に収納すると共に出金取引時に顧客に支払われる硬貨を金庫から繰り出すものである。硬貨入出金部９と硬貨入出金口９ａとは図示しない硬貨搬送路によって接続されている。硬貨入出金口９ａは、顧客が硬貨を投入し、または顧客に支払われる硬貨が送り込まれる部分であり、硬貨入出金口９ａの上部には開閉可能なシャッター８ｂが設けられており、硬貨入出金口９ａの内部には、図示しないが、硬貨が顧客により抜き取られたことを検出する検出センサが設けられている。
【００１５】
音声案内部１２は、音声によって操作案内を行うもので、自動取引装置１に設けられたスピーカ１２ａから音声を出力する。
主制御部１８は、自動取引装置１の各部を制御するもので、マイクロコンピュータ等で構成され、内部にはタイマ１４が設けられている。タイマ１４は、通帳５やＩＤカード３あるいは紙幣が排出された際に、抜き取り監視時間を計測するものである。抜き取り監視時間とは、媒体を排出した後に所定の監視時間が経過しても媒体の抜き取りが検出されない場合、この媒体を装置内に取り込むという時間である。
【００１６】
記憶部１５は、各種の制御を行うためのプログラムが記憶されたＲＡＭやＲＯＭおよびフレキシブルディスク等で構成されている。インタフェース部１６は、上位装置であるホストコンピュータ２０との接続口である。電源部１９は自動取引装置１内の各部に電源を供給する。ホストコンピュータ２０は、インタフェース部１６と通信回路１０により接続され、顧客ごとの口座番号や預貯金残高情報等を記憶している記憶装置２１を有する。
【００１７】
自動取引装置１の前部には接客部１１が設けられている。接客部１１は、顧客に対する操作誘導等を表示する表示部と、取引科目や金額等を入力するためのタッチパネル部とで構成される。表示部には取引科目である「入金」や「引出し」および「振込」等が表示され、タッチパネル部には金額や暗証番号を入力するテンキーが表示され、顧客は所望の表示部分に指を触れることで入力を行う。
【００１８】
また、自動取引装置１の前部には接近検知器１７が設けられており、これで、顧客の自動取引装置１への接近を検知する。
このような自動取引装置１は、上記の如く、センタ２２のホストコンピュータ２０と接続しており、センタ２２は、図３に示す如く、ホストコンピュータ２０には口座番号、残高、１ヶ月の収支合計等を記憶する記憶装置２１があり、さらに、投資商品管理サーバ２３を設け、その投資管理データベース２４には購入した投資商品が記憶され、また、履歴管理サーバ２５を設け、その取引履歴データベース２６には一定期間の取引が記憶される。
【００１９】
投資商品の購入取引が顧客によって選択されると、上記接客部１１の表示部には、図４に示す如く、金額を指定する場合に、金額割合指定画面２７が表示され、その画面には、１ヶ月分の「収支合計」キーおよび「口座残高」キーが表示される。
ここで、１ヶ月の収支合計とは、当日から１ヶ月前までの入金と出金のそれぞれの合計とその差額であり、上記の如く、記憶装置２１に記憶される。なお、１ヶ月の収支の合計がマイナスになる場合は、指定金額は「０円」と表示する。
【００２０】
このように金額割合指定画面２７が表示されると、金額あるいは割合指定を促し、数値を入力させた後に、「円」キーまたは「％」キーの押下を誘導する。
顧客が「円」キーを押下すると、従来どおりの固定金額での指定となり、「％」キーを押下すると、図５に示す如く、割合指定残高選択画面２８が表示される。
この割合指定残高選択画面２８には、１ヶ月の収支合計と口座残高が表示される。さらに、それぞれ指定された割合に応じた金額が表示される。顧客は、１ヶ月の収支合計の割合または口座残高の割合を選択して支払額を決めることができるものである。
【００２１】
上述した構成の作用を図６のフローチャートを用いて説明する。
なお、以下に説明する各部の動作は、図示しない記憶部に格納されたプログラム（ソフトウェア）に基づいて図示しない制御部により制御される。
Ｓ１−１  顧客が接客部１１により取引を開始すると、通常のキャッシュカードの挿入、本人確認やその他の金額入力前処理を行う。
【００２２】
Ｓ１−２  金額割合指定画面２７が表示される。顧客は、金額あるいは割合を指定するための所望の数値を入力する。
Ｓ１−３  「円」キーが押下されると入力した数値が金額として確定され、Ｓ１−１０に進む。「％」キーが押下されると入力した数値が割合として指定され、次に進む。
Ｓ１−４  １ヶ月収支合計の残高チェックを行い、マイナスであればＳ１−８に進む。プラスであれば、次に進む。
【００２３】
Ｓ１−５  割合指定残高選択画面２８を表示する。
Ｓ１−６  「戻る」キーが押下された場合には、金額割合指定画面Ｓ１−２に戻る。
Ｓ１−７  「口座残高」キーが押下された場合には、次に進む。
「１ヶ月」キーが押下された場合には、Ｓ１−９に進む。
Ｓ１−８  「口座残高」キーを押下の情報及び指定割合を保持する。
【００２４】
Ｓ１−９  「１ヶ月」キー押下の情報および指定割合を保持する。
Ｓ１−１０  割合指定の場合は、指定した割合と残高を掛け合わせた金額の確認処理等を行い、Ｓ１−８またはＳ１−９で保持した情報を、金額指定の場合は入力された金額を他の取引情報と共にホストコンピュータ２０へ送信する。
Ｓ１−１１  ホストコンピュータ２０から取引結果を受信し、結果を明細票に出力してキャッシュカードと共に返却する。
【００２５】
以上説明したように、本実施例によると、金額指定画面に「％」の表示を行い、１ヶ月収支合計もしくは口座残高の一方を選択して割合による金額の指定ができ、具体的な金額の指定でなく、無理のない支払が可能となる。
第２実施例
図７および図８は本発明の第２実施例を示す説明画面である。
【００２６】
なお、自動取引装置１およびセンタ２２は図１、図２、図３に示した第１実施例と同様であるためにその説明を省略する。
接客部１１の表示部には、図７に示す如く、資産運用商品の取引を選択すると、資産運用商品一覧画面２９が表示され、その画面から顧客は、図８に示す各投資運用商品キーを選択して個別の商品案内画面３０を表示する。
【００２７】
顧客が「資料請求」キーを押下した場合はその情報を保持する。
顧客が「お申し込み」キーを押下した場合はその情報を保持し、投資運用商品一覧画面２９に戻って資料請求等の表示を行う。
顧客が「戻る」キーを押下した場合は投資運用商品一覧画面２９に戻る。
顧客が投資運用商品の申し込み・資料請求の設定が終了し、投資運用商品一覧画面２９によって「実行」キーを押下した場合、予め設定された口座に入金された資金に対する申し込みされた各商品への資金割合を設定する画面３１を表示する（図９）。
【００２８】
設定が終わり、「実行」キーが押下されると各情報（商品の種類、各々の金額・割合）をセンタ２２のホストコンピュータ２０に転送し、その取引の結果を明細票に印字して排出するものである。
上述した構成の作用を図１０のフローチャートを用いて説明する。
Ｓ２−１  顧客が接客部１１により取引を開始すると、通常のキャッシュカードの挿入、本人確認やその他の金額入力前処理を行う。
【００２９】
Ｓ２−２  ホストコンピュータ２０から受信または自動取引装置内に保持している取扱商品を表示し、選択させる。
Ｓ２−３  「実行」が選択されると、Ｓ２−９に進む。
各商品が選択されると、Ｓ２−４に進む。
Ｓ２−４  各商品の商品案内を表示する。
【００３０】
Ｓ２−５  「資料請求」が選択された場合にはＳ２−６に進む。
その他を選択した場合にはＳ２−７に進む。
Ｓ２−６  「資料請求」が選択されたことを表示し、情報を保持し、Ｓ２−７に進む。
Ｓ２−７  「お申し込み」が選択された場合には、次に進む。
「戻る」が選択された場合には、Ｓ２−２に戻る。
【００３１】
Ｓ２−８  お申し込みが選択された情報を保持し、Ｓ２−２に移行する。
Ｓ２−９  新たに申し込みされた商品およびもともと申し込んでいた商品の資金割合を設定する。つまり、すでに、１件の商品を購入していた場合に、図１１に示す画面を表示し、表示のテンキーにより割合を入力させる。入力された割合は、投資管理データベース２４に登録する。したがって、前述の金融商品の購入の際には、利用時に指定した金額がその登録した割合に分割されてそれぞれの商品が購入されることになる。なお、かかる購入処理は、ホストコンピュータが行うものとする。
【００３２】
Ｓ２−１０  ホストコンピュータ２０から取引結果を受信し、明細票およびキャッシュカードを排出する。
なお、説明は省略したが、上記実施例においても、１ヶ月の収支合計の割合または口座残高の割合を選択して支払額を決めることができるものである。
以上説明した本実施例によると、多様な投資運用商品の購入を、資金の割合で購入することができ、固定金額による購入と異なり、無理のない購入が可能となる。
【図面の簡単な説明】
【００３３】
【図１】自動取引装置を示す外観説明図
【図２】自動取引装置の構成を示すブロック図
【図３】自動取引装置とセンタのブロック図
【図４】金額割合指定画面
【図５】割合指定残高選択画面
【図６】第１実施例の動作フローチャート
【図７】投資運用商品一覧画面
【図８】商品案内画面
【図９】資金割合設定画面
【図１０】第２実施例の動作フローチャート
【図１１】資金割合設定画面
【符号の説明】
【００３４】
１  自動取引装置
２  カード処理部
２ａ  カード挿入排出口
３  ＩＤカード
４  通帳処理部
４ａ  通帳挿入排出口
５  通帳
６  明細票処理部
８  紙幣入出金部
８ａ  紙幣入出金口
９  硬貨入出金部
９ａ  硬貨入出金口
１０  通信回路
１１  表示部
１２  音声案内部
１２ａ  スピーカ
１４  タイマ
１５  記憶部
１６  インタフェース部
１７  接近検知器
１８  主制御部
１９  電源部
２０  ホストコンピュータ
２１  記憶装置
２２  センタ
２３  投資商品管理サーバ
２４  投資管理データベース
２５  履歴管理サーバ
２６  取引履歴データベース
２７  金額割合指定画面
２８  割合指定残高選択画面
２９  資産運用商品一覧画面
３０  商品案内画面
３１  資金割合設定画面    
【図１】
2008077577.tif 000003
【図２】
2008077577.tif 000004
【図３】
2008077577.tif 000005
【図４】
2008077577.tif 000006
【図５】
2008077577.tif 000007
【図６】
2008077577.tif 000008
【図７】
2008077577.tif 000009
【図８】
2008077577.tif 000010
【図９】
2008077577.tif 000011
【図１０】
2008077577.tif 000012
【図１１】
2008077577.tif 000013